(57)【特許請求の範囲】
【請求項１】
床材に設けられた配線器具用の取付孔の表側に、前記取付孔を間にして両側にそれぞれ配置された第１天板部材及び第２天板部材と、
前記取付孔を通して前記床材の裏側にそれぞれ配置され、対応する前記第１天板部材及び前記第２天板部材との間で前記床材を挟持することによって前記床材にそれぞれ取り付けられる第１配線器具ブロック及び第２配線器具ブロックと、
前記第１天板部材及び前記第２天板部材を覆うようにして前記第１天板部材及び前記第２天板部材の表側に取付ねじを用いてねじ止めされるプレート部材と、
前記第１天板部材と前記第２天板部材とを互いに係合させる係合部と、
前記第１天板部材と前記第１配線器具ブロックの間、前記第２天板部材と前記第２配線器具ブロックの間を、それぞれ、取付ねじで締め付けて前記床材を挟持させることによって、前記第１天板部材と前記第２天板部材の間に互いに離れる方向の張力を発生させる張力発生部と、を備えたことを特徴とする床用配線装置。
【請求項２】
前記床材の表面において、前記取付孔の周縁部に設けられた凹所に配置され、前記第１天板部材及び前記第２天板部材と前記床材の間に介装されるスペーサを備えたことを特徴とする請求項１に記載の床用配線装置。
【請求項３】
前記第１配線器具ブロックには強電用の配線器具が取り付けられ、前記第２配線器具ブロックには弱電用の配線器具が取り付けられることを特徴とする請求項１又は２に記載の床用配線装置。
【請求項４】
前記プレート部材は、前記取付孔と略同じ大きさの開口部と、前記開口部を開閉自在に覆う蓋材を前記開口部の外縁部で回転自在に支持する支持部とを備え、
前記第１及び第２配線器具ブロックの取付位置に対して前記支持部の位置が一定の位置関係となるように、前記プレート部材をねじ止めするために前記第１及び第２天板部材に設けられたねじ穴の配置が決定されていることを特徴とする請求項１〜３の何れか１項に記載の床用配線装置。
【請求項５】
前記第１天板部材及び前記第１配線器具ブロックと、前記第２天板部材及び前記第２配線器具ブロックとは、開口部分の形状が四角形状である前記取付孔の両側に配置され、
前記第１配線器具ブロックには強電用の配線器具が取り付けられ、前記第２配線器具ブロックには弱電用の配線器具が取り付けられており、
前記蓋材において、前記第１配線器具ブロックと反対側の部位には、前記第１配線器具ブロック及び前記第２配線器具ブロックに接続される電線を通すための通線用扉が開閉自在に設けられていることを特徴とする請求項４に記載の床用配線装置。
【請求項６】
前記第１配線器具ブロック及び前記第２配線器具ブロックの内の少なくとも何れか一方には、前記床材の裏側に配線されて当該配線器具ブロックに結線される電線を保持する電線保持部が設けられたことを特徴とする請求項１〜５の何れか１項に記載の床用配線装置。
【発明の詳細な説明】
【技術分野】
【０００１】
本発明は、床用配線装置に関するものである。
【背景技術】
【０００２】
従来、オフィスなどでは、スラブのような床下地の上に、配線用の空間を空けて、室内空間の床となる床材が設けられており、このような床材に取り付けられる配線器具として、例えば特許文献１に開示されるようなインナーコンセントがあった。
【０００３】
このインナーコンセントは、電力用コンセントや電話用モジュラジャックなどの電気部品を内部に収納するボックスと、ボックスの上部に取り付けられて当該ボックスの上面開口を開閉自在に閉塞するプレート枠とを備える。このフロアコンセントでは、床材に設けられた開口部にボックスを挿入し、ボックスの開口端縁に設けられた外鍔部を、開口部の外周の床材上面に載せ、ボックスの外側面に設けられた取り付け金具を床材の下面に当てる。この状態からネジを締め付けることによって取り付け金具を上側に移動させると、取り付け金具と外鍔部の間で床材が挟持され、インナーコンセントが床材に取り付けられる。さらに、ボックスの上面開口を閉塞するようにしてボックスにプレート枠が取り付けられ、インナーコンセントの施工が完了する。
【先行技術文献】
【特許文献】
【０００４】
【特許文献１】特開平４−３５１４１１号公報
【発明の概要】
【発明が解決しようとする課題】
【０００５】
上述したインナーコンセントのように、床材に埋め込んだ状態で取り付けられる床用配線装置では、床材の上面にカーペットを敷いた後、カーペットの上側からプレート枠を取り付けて、外観の見栄えを向上させていた。上記のボックスは、ボックスの外鍔部と取り付け金具との間で床材を挟持することによって、床材に固定される。ここで、床材を挟持する際に発生する張力でボックスが変形すると、プレート枠をボックスにネジ固定するために設けられたねじ穴の位置がずれて、プレート枠の取付作業がやりにくくなる可能性があった。
【０００６】
本発明は上記問題点に鑑みて為されたものであり、その目的とするところは、施工作業の施工性を向上させた床用配線装置を提供することにある。
【課題を解決するための手段】
【０００７】
上記課題を解決するために、本願の床用配線装置は、第１天板部材及び第２天板部材と、第１配線器具ブロック及び第２配線器具ブロックと、プレート部材と、係合部と、張力発生部とを備える。第１天板部材及び第２天板部材は、床材に設けられた配線器具用の取付孔の表側に、取付孔を間にして両側にそれぞれ配置されている。第１配線器具ブロック及び第２配線器具ブロックは、取付孔を通して床材の裏側にそれぞれ配置され、対応する第１天板部材及び第２天板部材との間で床材を挟持することによって床材にそれぞれ取り付けられている。プレート部材は、第１天板部材及び第２天板部材を覆うようにして第１天板部材及び第２天板部材の表側に取付ねじを用いてねじ止めされる。係合部は第１天板部材と第２天板部材とを互いに係合させている。張力発生部は、第１天板部材と第１配線器具ブロックの間、第２天板部材と第２配線器具ブロックの間を、それぞれ、取付ねじで締め付けて床材を挟持させることによって、第１天板部材と第２天板部材の間に互いに離れる方向の張力を発生させる。
【０００９】
この床用配線装置において、床材の表面において、取付孔の周縁部に設けられた凹所に配置され、第１天板部材及び第２天板部材と床材の間に介装されるスペーサを備えることも好ましい。
【００１０】
この床用配線装置において、第１配線器具ブロックには強電用の配線器具が取り付けられ、第２配線器具ブロックには弱電用の配線器具が取り付けられることも好ましい。
【００１１】
この床用配線装置において、プレート部材は、取付孔と略同じ大きさの開口部と、開口部を開閉自在に覆う蓋材を開口部の外縁部で回転自在に支持する支持部とを備える。第１及び第２配線器具ブロックの取付位置に対して支持部の位置が一定の位置関係となるように、プレート部材をねじ止めするために第１及び第２天板部材に設けられたねじ穴の配置が決定されていることも好ましい。
【００１２】
この床用配線装置において、第１天板部材及び第１配線器具ブロックと、第２天板部材及び第２配線器具ブロックとは、開口部分の形状が四角形状である取付孔の両側に配置される。第１配線器具ブロックには強電用の配線器具が取り付けられ、第２配線器具ブロックには弱電用の配線器具が取り付けられている。ここで、蓋材において、第１配線器具ブロックと反対側の部位には、第１配線器具ブロック及び第２配線器具ブロックに接続される電線を通すための通線用扉が開閉自在に設けられることも好ましい。
【００１３】
この床用配線装置において、第１配線器具ブロック及び第２配線器具ブロックの内の少なくとも何れか一方には、床材の裏側に配線されて当該配線器具ブロックに結線される電線を保持する電線保持部が設けられることも好ましい。
【発明の効果】
【００１４】
本発明によれば、施工作業の施工性を向上させた床用配線装置を提供する。
【図面の簡単な説明】
【００１５】
【図１】本実施形態の床用配線装置の分解斜視図である。
【図２】同上の一部省略せる分解斜視図である。
【図３】同上を示し、（ａ）は平面図、（ｂ）は側面図である。
【図４】（ａ）（ｂ）は同上の斜視図である。
【図５】同上の第１配線器具ブロックを示し、（ａ）は正面図、（ｂ）は側面図、（ｃ）は上面図である。
【図６】同上の第１配線器具ブロックを示し、（ａ）は前側から見た斜視図、（ｂ）は後側から見た斜視図である。
【図７】同上の第２配線器具ブロックを示し、（ａ）は正面図、（ｂ）は斜視図である。
【図８】（ａ）は同上のプレート部材を外した状態の平面図、（ｂ）はプレート部材の平面図、（ｃ）は蓋材の平面図である。
【図９】（ａ）〜（ｅ）は同上の配線器具ブロックを床材に取り付ける手順を説明する模式的な説明図である。
【図１０】（ａ）は同上を床材に取り付けた状態を示す説明図、（ｂ）は第１配線器具ブロックを床材に取り付けた状態の説明図である。
【図１１】（ａ）（ｂ）は同上が取り付けられる床材の斜視図である。
【図１２】（ａ）〜（ｇ）は同上において通線用扉を開く動作を説明する説明図である。
【発明を実施するための形態】
【００１６】
本実施形態の床用配線装置について図１〜図１２を参照して説明する。尚、以下の説明では特にことわりが無い限り、図３（ｂ）に示す向きにおいて上下左右の方向を規定して説明を行う。
【００１７】
オフィスなどでは、スラブのような床下地の上に、室内空間の床を構成する床材を設置し、床下地と床材との間に設けられた空間に配線などを施工する配線方式が一般的である。本実施形態の床用配線装置１はこのような配線方式に用いられるものであり、図１１（ａ）に示すように２つの床材１００，１００を並べた状態で、床材１００，１００の突き合わせ部にできる配線器具用の取付孔１０１に取り付けられるものである。
【００１８】
この床用配線装置１は、第１天板部材２Ａと、第２天板部材２Ｂと、第１配線器具ブロック３Ａと、第２配線器具ブロック３Ｂと、プレート部材４と、蓋材５とを主要な構成として備えている。また床用配線装置１は、第１、第２配線器具ブロック３Ａ，３Ｂに接続された電線を収納する空間を、床材１００の裏側の空間と仕切るための仕切り部材６と、パッキン７を備えている。
【００１９】
第１天板部材２Ａ及び第２天板部材２Ｂは、それぞれ、金属の薄板にプレス加工を施して形成され、中央片２０と、中央片２０の両端から一方向に突出する側片２１，２２とで、略Ｕ型に形成されている。第１天板部材２Ａ及び第２天板部材２Ｂは、側片２１，２２の先端部の形状を除いて線対称の形状に形成されており、側片２１同士、側片２２同士をそれぞれ突き合わせた状態で床材１００に載置されることで、各辺の長さが略等しい四角枠を構成している。第１天板部材２Ａの側片２１，２２には、各々の先端側に、Ｌ字状の係合部２３ａ，２４ａが形成されている。また第２天板部材２Ｂの側片２１，２２にも、各々の先端側に、対応する係合部２３ａ，２４ａと係止するＬ字状の係合部２３ｂ，２４ｂが形成されている。また、第１天板部材２Ａ及び第２天板部材２Ｂの中央片２０には、各々の内側縁（他方の天板部材と対向する側縁）から下方に突出する当接片２５が形成されている。また、中央片２０には、対応する配線器具ブロック（第１配線器具ブロック３Ａ又は第２配線器具ブロック３Ｂ）を取り付けるための取付ねじ２８がそれぞれ挿通される挿通孔２６，２７が、中央片２０の両端付近に設けられている。また中央片２０には、後述するプレート部材４を固定するための取付ねじ４４がそれぞれねじ込まれるねじ穴２９ａ，２９ｂが、中央片２０の両端付近に設けられている。
【００２０】
第１配線器具ブロック３Ａは、強電用の配線器具として用いられるＡＣ１００Ｖ用の電源コンセント３１Ａと、取付枠３２と、取付金具３３と、電線固定金具３４と、絶縁カバー３５とを主要な構成として備えている。
【００２１】
電源コンセント３１Ａには、大角形連用配線器具として規格化された既存の配線器具が用いられ、この電源コンセント３１Ａを保持して取付金具３３に取り付けるために合成樹脂製の取付枠３２が使用される。
【００２２】
取付金具３３は、金属板にプレス加工を施して形成され、側面視の形状が略Ｕ字状となっている。取付金具３３は、取付枠３２が裏側に取り付けられ、開口３３ｂを通して電源コンセント３１Ａの前面を露出させる器具保持片３３ａを備えている。この器具保持片３３ａは、下側に向かって斜め前方（図５（ｂ）の斜め右側）に傾斜しており、電源コンセント３１Ａにプラグを差し込みやすくなっている。器具保持片３３ａの上側縁中央部からは、床材１００の下面に当接する当接片３３ｃが一方向（床材１００の取付孔１０１と反対側）に突出して設けられている。器具保持片３３ａの上側縁両端部からは、当接片３３ｃと逆方向（取付孔１０１側）に突出する固定片３３ｄ，３３ｅが設けられている。また器具保持片３３ａの下側縁からは、当接片３３ｃと同じ方向に突出し、電線固定金具３４が螺子止めされる金具取付片３３ｆが設けられている。また器具保持片３３ａの下側縁には、金具取付片３３ｆと逆方向に突出して、仕切り部材６を固定するための固定片３３ｇが設けられている。
【００２３】
この第１配線器具ブロック３Ａは、第１天板部材２Ａとの間で床材１００を挟持することによって床材１００に固定される。すなわち、第１天板部材２Ａの挿通孔２６，２７にそれぞれ通された取付ねじ２８，２８を、対応する固定片３３ｄ，３３ｅのねじ穴にねじ込むことによって、第１天板部材２Ａと配線器具ブロック３Ａとが連結される。そして、第１天板部材２Ａと配線器具ブロック３Ａとの間に床材１００を挟んだ状態で取付ねじ２８，２８をねじ込むと、第１天板部材２Ａと当接片３３ｃとの間で床材１００が強く挟持され、配線器具ブロック３Ａが床材１００に固定されるようになっている。
【００２４】
電線固定金具３４は、取付金具３３の金具取付片３３ｆに螺子固定されており、その後側縁には、合成樹脂により帯状に形成された結束バンド（図示せず）を挿通する挿通孔３４ａが複数形成されている。電源コンセント３１Ａの後面には電線挿通孔３１ａが開口しており、床材１００の下側の配線スペースに配線された電力線（図示せず）を電線挿通孔３１ａに挿通すると、内部に収納された速結端子構造の端子部（図示せず）に電力線が接続されるようになっている。本実施形態では、施工者が、電源コンセント３１Ａに接続した電力線を、挿通孔３４ａに通した結束バンドで結束することによって、電力線を電線固定金具３４に固定することができ、端子部に加わる張力を低減できる。また取付枠３２には、係止爪３５ａを取付枠３２の周縁部に引っ掛けることによって、電源コンセント３１Ａの後面を覆う絶縁カバー３５が着脱自在に取り付けられるようになっている。
【００２５】
第２配線器具ブロック３Ｂは、弱電用の配線器具として用いられるＬＡＮコンセント３１Ｂと、取付枠３２と、取付金具３３とで構成される。ＬＡＮコンセント３１Ｂには、大角形連用配線器具として規格化された既存の配線器具が用いられ、それぞれ単位モジュール寸法に形成された３個のＬＡＮコンセント３１Ｂが取付枠３２を介して取付金具３３に取り付けられている。尚、第２配線器具ブロック３Ｂは、配線器具としてＬＡＮコンセント３１Ｂを備える点を除いては、第１配線器具ブロック３Ａと同様の構成を有しているので、共通する構成要素には同一の符号を付して、その説明は省略する。
【００２６】
仕切り部材６は、金属板を略Ｕ字型に曲げ加工することによって形成され、中央片６ａには第１及び第２配線器具ブロック３Ａ，３Ｂの取付金具３３に設けられた固定片３３ｇのねじ穴にそれぞれ対応する位置に挿通孔６ｂが形成されている。この仕切り部材６は、挿通孔６ｂに通した固定ねじ６ｃが対応する固定片３３ｇのねじ穴にねじ込まれることで、各取付金具３３に固定されるようになっている。そして、この仕切り部材６は、取付金具３３，３３とともに、床材１００の下側の空間を仕切って、第１、第２配線器具ブロック３Ａ，３Ｂに接続される電線を収める収納空間を形成する。
【００２７】
プレート部材４は、例えばアルミダイキャストにより、４辺の長さが略等しい矩形枠状に形成されており、中央部には矩形の開口部４１が設けられている。開口部４１の開口端縁には、１辺を除く３辺から内側方向に突出して、蓋材５が閉じられた際に蓋材５の一部が載置される載置片４２が形成されている。この載置片４２には、第１天板部材２Ａ及び第２天板部材２Ｂにそれぞれ設けられたねじ穴２９ａ，２９ｂに対応する位置に、取付ねじ４４を挿通する各２個の挿通孔４３ａ，４３ｂが設けられている。蓋材５は、開口部４１の開口端縁のうち載置片４２が形成されていない１辺と平行な回転軸を中心に回転自在となっており、蓋材５の軸５１を回転自在に支持する軸孔４５（図１では片側のみ図示）が開口端縁に設けられている。
【００２８】
蓋材５は、例えばアルミダイキャストにより矩形板状に形成された蓋板５０を有し、蓋板５０の一端側の両側面には軸５１が突設されている。蓋板５０において、一方の軸５１が突設された側縁には、第１及び第２配線器具ブロック３Ａ，３Ｂに接続される電線（図示せず）を通すための凹部５２が形成されている。また蓋板５０には、例えばアルミダイキャストにより横長の矩形板状に形成されて、凹部５２を開閉自在に閉塞する通線用扉５３が回転自在に取り付けられている。この通線用扉５３の下面には、図１２に示すように下方に突出する複数（本実施形態では例えば３個）の脚片５３ａが間隔を開けて設けられている。なお、図１に示すように、脚片５３ａの間には、通線用扉５３の開口を通して床下に配線される電線（図示せず）を保護するためのブッシング５５が保持されている。
【００２９】
ここにおいて、各脚片５３ａは、側面視の形状が、通線用扉５３を開いた状態で水平方向に延びる第１の辺と、通線用扉５３を閉じた状態で鉛直方向に延びる第２の辺とを有する三角形状に形成されている。また、中央の脚片５３ａは、強電流電線（例えば電源コンセント３１Ａに接続される電源線）と弱電流電線（例えばＬＡＮコンセント３１Ｂに接続される通信線）とを隔てる隔壁として兼用される。例えば中央の脚片５３ａの片側に強電流電線を通し、反対側に弱電流電線を通すことで、両電線の間を脚片５３ａで隔てることができる。
【００３０】
パッキン７は、例えば合成樹脂により矩形枠状に形成されており、第１及び第２天板部材２Ａ，２Ｂとプレート部材４との間に配置される。
【００３１】
次に、本実施形態の床用配線装置の施工手順について図９〜図１１を参照しながら説明する。
【００３２】
図１１（ａ）に示すように各床材１００の１辺には凹部が形成されており、２つの床材１００，１００を並べた状態で、両床材１００の凹部によって形成される矩形の取付孔１０１に上記の床用配線装置１が設置される。
【００３３】
先ず施工者は、図９（ａ）に示すように第１天板部材２Ａの挿通孔２６，２７に通した取付ねじ２８，２８を第１配線器具ブロック３Ａの取付金具３３にねじ込むことで、天板部材２Ａと第１配線器具ブロック３Ａとを仮組みする。
【００３４】
そして、施工者は、第１天板部材２Ａと第１配線器具ブロック３Ａとを仮組みした状態で、第１配線器具ブロック３Ａを取付孔１０１から床材１００の裏側に挿入し、図９（ｂ）に示すように第１天板部材２Ａを取付孔１０１の周縁部に載置する。図９では図示を省略しているが、この状態では第１天板部材２Ａの当接片２５が取付孔１０１の端面と当接することで、第１天板部材２Ａの載置位置が位置決めされる。また図９（ｂ）では図示を簡単にするため、片側の床材１００を省略して図示してある。施工者は、この状態で取付ねじ２８，２８を締め付け、第１天板部材２Ａと第１配線器具ブロック３Ａとの間で床材１００を挟持させることにより、第１天板部材２Ａ及び第１配線器具ブロック３Ａを床材１００に仮固定する。
【００３５】
次に、施工者は、第２天板部材２Ｂと第１配線器具ブロック３Ｂとを同様に仮組みした状態で、第２配線器具ブロック３Ｂを取付孔１０１から床材１００の裏側に挿入する。このとき、施工者は、第１天板部材２Ａ及び第２天板部材２Ｂの係合部２３ａ同士、係合部２４ａ同士をそれぞれ係止させた状態で、第２天板部材２Ｂを取付孔１０１の周縁部に載置する。施工者は、この状態で取付ねじ２８，２８を締め付け、第２天板部材２Ｂと第２配線器具ブロック３Ｂとの間で床材１００を挟持させることによって、第２天板部材２Ｂ及び第２配線器具ブロック３Ｂを床材１００に仮固定する。
【００３６】
その後、施工者は、図９（ｄ）に示すように、取付孔１０１から仕切り部材６を挿入し、仕切り部材６の挿通孔６ｂに通した固定ねじ６ｃを固定片３３ｇのねじ穴にねじ込むことによって、仕切り部材６を第１、第２配線器具ブロック３Ａ，３Ｂに固定する。
【００３７】
次に施工者は、図１０（ａ）に示すように、床材１００の上面にカーペット１０３を敷き、第１及び第２天板部材２Ａ，２Ｂの上面にパッキン７を載せ、さらにパッキン７の上側にプレート部材４を載置する。そして、施工者は、プレート部材４の挿通孔４３ａ，４３ｂに通した取付ねじ４４を、それぞれ、第１、第２天板部材２Ａ，２Ｂの対応するねじ穴２９ａ，２９ｂにねじ込むことで、プレート部材４を第１，第２天板部材２Ａ，２Ｂに固定する。最後に、施工者はプレート部材４に対して蓋材５を回転自在に取り付けることで、床用配線装置１の施工が完了する。
【００３８】
また、本実施形態の床用配線装置１に電線を接続する手順について図１２を参照して説明する。図１２（ａ）は蓋板５０及び通線用扉５３が閉じた状態を示し、この状態では保持手段（図示せず）によって蓋板５０が閉状態に保持され、通線用扉５３も脚片５３ａがプレート部材４の載置片４２に干渉することによって、閉じた状態で保持される。施工者が、この状態で開閉用釦５４を開方向にスライドさせると、保持手段による保持状態が解除され、蓋板５０の裏側に配置された板ばね（図示せず）のバネ力を受けて、蓋板５０が僅かに開いた状態となる（図１２（ｂ）参照）。この状態から施工者が蓋板５０を開方向（図１２（ｃ）中の矢印Ｄ１方向）に移動させ、蓋板５０が大きく開かれた状態で電源コンセント３１Ａ又はＬＡＮコンセント３１Ｂへの配線が行われる。また施工者は、コンセント３１Ａ又はＬＡＮコンセント３１Ｂに接続された電線を外部に引き出すために、通線用扉５３を開方向（図１２（ｄ）中の矢印Ｄ２方向）に回転させる。このとき、通線用扉５３は図示しないストッパーによって回転角度が制限されており、施工者は、通線用扉５３が開いた状態で蓋板５０を閉方向（図１２（ｅ）中の矢印Ｄ３方向）に移動させる。さらに施工者が、板ばねのバネ力に抗して蓋板５０を閉方向（図１２（ｆ）中の矢印Ｄ４方向）に移動させ、蓋板５０が完全に閉じると、上記の保持手段によって蓋板５０が閉状態で保持される。また通線用扉５３に設けた脚片５３ａが載置片４２に載置された状態となり、通線用扉５３が開いた状態で保持され（図１２（ｇ）参照）、隣接する脚片５３ａの間のスペースから電線が外部に引き出されることになる。通線用扉５３は開いた状態で保持されるから、通線用扉５３が踏まれたとしても、通線用扉５３と床材１００との間で電線が挟まれることはなく、電線を保護することができる。
【００３９】
以上のような手順により蓋板５０を開いて配線を行った後、通線用扉５３を開いた状態で蓋板５０を閉じることができ、施工者が上述と逆の手順を行うことによって、通線用扉５３が開いた状態から閉じた状態へと切り替えることができる。
【００４０】
上述のように本実施形態の床用配線装置１は、第１及び第２天板部材２Ａ，２Ｂと、第１及び第２配線器具ブロック３Ａ，３Ｂと、プレート部材４と、係合部２３ａ，２３ｂ，２４ａ，２４ｂとを備えている。第１天板部材２Ａ及び第２天板部材２Ｂは、床材１００に設けられた取付孔１０１の表側に、取付孔１０１を間にして両側にそれぞれ配置されている。第１配線器具ブロック３Ａ及び第２配線器具ブロック３Ｂは、取付孔１０１を通して床材１００の裏側にそれぞれ配置され、対応する第１天板部材２Ａ及び第２天板部材２Ｂとの間で床材１００を挟持することによって床材１００にそれぞれ取り付けられる。プレート部材４は、第１天板部材２Ａ及び第２天板部材２Ｂを覆うようにして第１天板部材２Ａ及び第２天板部材２Ｂの表側にねじ止めされる。係合部２３ａ，２３ｂ，２４ａ，２４ｂによって、第１天板部材２Ａと第２天板部材２Ｂとが互いに係合させるようになっている。
【００４１】
これにより、取付孔１０１の両側に配置される第１天板部材２Ａ及び第２天板部材２Ｂが、係合部２３ａ，２３ｂ，２４ａ，２４ｂによって互いに係合するから、第１天板部材２Ａ及び第２天板部材２Ｂの相対的な位置が定まる。その結果、プレート部材をねじ止めするために第１天板部材２Ａ及び第２天板部材２Ｂに設けられたねじ穴２９ａ，２９ｂの位置ずれが低減される。したがって、第１天板部材２Ａ及び第２天板部材２Ｂにプレート部材４をねじ止めする作業がやりやすくなり、施工性が向上する。
【００４２】
また図１０（ａ）に示すように、床材１００の下面において取付孔１０１の周縁部１０４は曲面に形成されているので、第１天板部材２Ａと第１配線器具ブロック３Ａの間、第２天板部材２Ｂと第２配線器具ブロック３Ｂの間を、それぞれ、取付ねじ２８で締め付けて床材１００を挟持させる際に、当接片３３ｃが床材１００の下面の周縁部１０４に当たることで、図１０（ａ）において矢印で示す方向の張力が第１天板部材２Ａ及び第２天板部材２Ｂに加わることになる。すなわち、第１天板部材２Ａと第１配線器具ブロック３Ａの間、第２天板部材２Ｂと第２配線器具ブロック３Ｂの間を、それぞれ、取付ねじ２８で締め付けて床材１００を挟持させることによって、第１天板部材２Ａと第２天板部材２Ｂの間に互いに離れる方向の張力を発生させる張力発生部を備えている。ここにおいて、取付孔１０１の周縁部が曲面に形成された床材１００を挟持する天板部材（第１及び第２天板部材２Ａ，２Ｂ）と取付金具３３の当接片３３ｃとで張力発生部が構成される。
【００４３】
このように張力発生部が、互いに係合した第１天板部材２Ａと第２天板部材２Ｂの間に、互いに離れる方向の張力を発生させているから、第１及び第２天板部材２Ａ，２Ｂの相対的な位置がより正確に定まり、ねじ穴２９ａ，２９ｂの位置ずれがさらに低減される。したがって、第１天板部材２Ａ及び第２天板部材２Ｂにプレート部材４をねじ止めする作業がやりやすくなり、施工性がさらに向上する。
【００４４】
また本実施形態では、図１１（ｂ）に示すように、床材１００の表面において、取付孔１０１の周縁部には他の部位よりも低い凹所１０２が形成されている。本実施形態の床用配線装置１では、凹所１０２に配置され、第１天板部材２Ａ及び第２天板部材２Ｂと床材１００の間に介装されるスペーサ８（例えばゴムなどの弾性材料からなる）を備えることも好ましい。
【００４５】
これにより、床材１００の表面に段差がある場合でも、この段差（凹所１０２）をスペーサ８が埋めることで、第１天板部材２Ａ及び第２天板部材２Ｂの取付状態が安定するから、第１天板部材２Ａ及び第２天板部材２Ｂの取付位置や取付強度が安定する。また第１天板部材２Ａ及び第２天板部材２Ｂの取付位置や取付強度が安定するから、プレート部材４及び蓋材５の耐荷重を高め、歩行中の人がプレート部材４及び蓋材５を踏んだ際に加わる歩行負荷に対する耐久性を向上させることができる。尚、スペーサ８は弾性を有する材料で形成されるのが好ましく、スペーサ８の厚みは凹所１０２の深さと同寸法になることが好ましい。
【００４６】
また本実施形態では、第１配線器具ブロック３Ａには強電用の配線器具（例えば電源コンセント３１Ａ）が取り付けられ、第２配線器具ブロック３Ｂには弱電用の配線器具（例えばＬＡＮコンセント３１Ｂ）が取り付けられている。
【００４７】
上述のように、第１天板部材２Ａ及び第１配線器具ブロック３Ａと、第２天板部材２Ｂ及び第２配線器具ブロック３Ｂとは、別々に床材に取り付けることができ、どちらを先に取り付けても良いので、強電用の配線作業と、弱電用の配線作業を別々に行える。また強電配線を行う際に弱電用の第２配線器具ブロックを取り外す必要が無く、また弱電配線を行う際にも強電用の第１配線器具ブロックを取り外す必要が無い。したがって、強電関係の配線工事と弱電関係の配線工事とを分離して行うことができ、施工性が向上するという利点がある。
【００４８】
また本実施形態では、プレート部材４が、取付孔１０１と略同じ大きさの開口部４１と、開口部４１を開閉自在に覆う蓋材５を開口部４１の外縁部で回転自在に支持する支持部（蓋材５の軸５１を支持する軸孔４５からなる）とを備えている。そして、第１及び第２配線器具ブロック３Ａ，３Ｂの取付位置に対して支持部の位置が一定の位置関係となるように、プレート部材４をねじ止めするために第１天板部材２Ａ及び第２天板部材２Ｂに設けられたねじ穴２９ａ，２９ｂの配置が決定されている。図８（ａ）に示すように、軸５１寄りの２個のねじ穴２９ａ，２９ａの間隔Ｌ１は、他の２個のねじ穴２９ｂ，２９ｂの間隔Ｌ２に比べて幅広に形成されている。したがって、四角枠状のプレート部材４を第１及び第２天板部材２Ａ，２Ｂの上側に載置する際に、プレート部材４の向きが一定に定まることになる。
【００４９】
これにより、プレート部材４の取付方向を間違えることがないという利点が有る。
【００５０】
さらに本実施形態では、第１天板部材２Ａ及び第１配線器具ブロック３Ａと、第２天板部材２Ｂ及び第２配線器具ブロック３Ｂとは、開口部分の形状が四角形状である取付孔１０１の両側に配置されている。そして、第１配線器具ブロック３Ａには強電用の配線器具が取り付けられ、第２配線器具ブロック３Ｂには弱電用の配線器具が取り付けられている。蓋材５において、第１配線器具ブロック３Ａと反対側の部位には、第１配線器具ブロック３Ａ及び第２配線器具ブロック３Ｂに接続される電線を通すための通線用扉５３が開閉自在に設けられている。
【００５１】
上述のように、プレート部材４の取付方向を間違えることがないから、蓋材５に設けられた通線用扉５３が、第１配線器具ブロック３Ａと反対側の部位に配置されることになる。第１配線器具ブロック３Ａには強電用の配線器具が取り付けられており、弱電用の配線器具に比べて、線径の太い電線が接続されることになるが、第１配線器具ブロック３Ａと反対側の部位に通線用扉５３が配置されるから、第１配線器具ブロック３Ａに接続された電線を曲げることなく通線用扉５３から外部へ導出できるため、配線作業がやりやすくなり、電線が曲げられる場合と比べて断線の可能性を低減でき安全性が高くなるものである。また第２配線器具ブロック３Ｂには弱電用の配線器具が取り付けられており、強電用の配線器具に比べて線径の細い電線が接続されるから、比較的電線を曲げやすく、第２配線器具ブロック３Ｂの側に通線用扉５３が配置されていたとしても、配線作業を容易に行うことができる。
【００５２】
また、第１配線器具ブロック３Ａ及び第２配線器具ブロック３Ｂの内の少なくとも何れか一方には、床材１００の裏側に配線されて当該配線器具ブロックに結線される電線を保持する電線保持部が設けられることも好ましい。本実施形態では、第１配線器具ブロック３Ａの取付金具３３に、電線を結束する結束バンドを通すための挿通孔３４ａが設けられた電線固定金具３４を備えており、この電線固定金具３４で電線保持部が構成されている。
【００５３】
これにより、第１配線器具ブロック３Ａに接続された電線が、第１配線器具ブロック３Ａに対して固定されるから、電線の位置が動いて、第１配線器具ブロック３Ａの端子部に無理な力がかかったり、電線自体が無理に曲げられて過大な荷重が加わるのを抑制できる。尚、本実施形態では第１配線器具ブロック３Ａのみに電線保持部が設けられているが、第２配線器具ブロックに電線保持部を設けてもよい。
【符号の説明】
【００５４】
１  床用配線装置
２Ａ  第２天板部材
２Ｂ  第２天板部材
３Ａ  第２配線器具ブロック
３Ｂ  第２配線器具ブロック
４  プレート部材
２３ａ，２３ｂ，２４ａ，２４ｂ  係合部
４４  取付ねじ
１００  床材
１０１  取付孔
【図１】
0005796178.tif 000002
【図２】
0005796178.tif 000003
【図３】
0005796178.tif 000004
【図４】
0005796178.tif 000005
【図５】
0005796178.tif 000006
【図６】
0005796178.tif 000007
【図７】
0005796178.tif 000008
【図８】
0005796178.tif 000009
【図９】
0005796178.tif 000010
【図１０】
0005796178.tif 000011
【図１１】
0005796178.tif 000012
【図１２】
0005796178.tif 000013